(57)【特許請求の範囲】
【請求項１】
略カード状の作成用具本体を備えており、かつこの作成用具本体の外周縁には、一定の順序で紐を掛けていくことにより所定の飾り結びを作成可能とする凹状または凸状の複数の紐掛け部が設けられていることを特徴とする、飾り結び作成用具。
【請求項２】
上記作成用具本体の表面部および裏面部の少なくとも一方には、上記複数の紐掛け部に紐を掛けていく順序を示す表示が付されている、請求項１に記載の飾り結び作成用具。
【請求項３】
上記表示は、上記複数の紐掛け部のそれぞれに紐をどのように掛けるかを区別する複数種類の態様をもつものとされている、請求項２に記載の飾り結び作成用具。
【請求項４】
上記作成用具本体は、その厚み方向への曲げ変形とその復元とが可能に弾性を有している、請求項１ないし３のいずれかに記載の飾り結び作成用具。
【請求項５】
上記作成用具本体には、この作成用具本体の厚み方向に貫通する少なくとも１つの貫通孔が設けられている、請求項１ないし４のいずれかに記載の飾り結び作成用具。
【請求項６】
上記作成用具本体の表面部および裏面部の少なくとも一方には、紐を掛けるための凸部が形成されている、請求項１ないし５のいずれかに記載の飾り結び作成用具。
【請求項７】
上記作成用具本体の表面部および裏面部の少なくとも一方には、１以上の凹部が形成されており、かつこの凹部上に紐の一部が配されたときにはこの紐の一部と上記作成用具本体との間にこの紐の他の部分をくぐらせるための隙間が形成される構成とされている、請求項１ないし６のいずれかに記載の飾り結び作成用具。
【請求項８】
上記作成用具本体の表面部および裏面部の少なくとも一方には、複数の凸部が形成されており、かつこれら複数の凸部間に紐の一部が掛け渡されたときにはこの紐の一部分と上記作成用具本体との間にこの紐の他の部分をくぐらせるための隙間が形成される構成とされている、請求項１ないし７のいずれかに記載の飾り結び作成用具。
【発明の詳細な説明】
【０００１】
【発明の属する技術分野】
本願発明は、紐を結ぶことにより作成され、かつ衣服や小物類の装飾あるいは室内装飾などに用いられる「飾り結び」を、簡易に作成するための用具に関する。
【０００２】
【従来の技術】
飾り結びの歴史は古く、その種類も豊富にある。このような飾り結びは、現代においても昔から受け継がれたままの手法により作成されており、ほとんどの場合は、紐を両手で持ち、この両手の操作のみによってこの紐を一定の手順にしたがって結ぶことにより作成されていた。たとえば中国服のボタンに利用される井桁結びを一例に挙げると、この井桁結びは、図１７（ａ）〜（ｆ）および図１８（ｇ）〜（ｉ）に示すような手順で紐Ｓを結ぶことにより作成されていた。また、従来においては、飾り結びの種類によっては、適当なサイズおよび形状を有する台の上面部に複数のピンを立てた補助具を利用し、このピンに紐を掛けていくことによって所定の飾り結びが作成される場合もあった。
【０００３】
【発明が解決しようとする課題】
しかしながら、上記従来の両手の操作のみによって飾り結びを作成する手段においては、その作業が難しく、長時間を要するものとなっていた。従来においては、たとえば上記の図１７および図１８に示したような飾り結びの作成手順を書いたテキストなどが市販されてはいるものの、飾り結びの作成に不慣れな人がそのようなテキストを見ながら飾り結びを作成しようとしても、飾り結びは紐の一部分どうしが複雑に絡み合った構造であるために、紐をどの部分に通せばよいのかなどの判断は容易ではなく、紐をテキストの手順通りに結ぶことは容易ではなかった。
【０００４】
また、従来においては、紐を手順通りに結ぶことができたとしても、その形状を綺麗に整えることが難しい場合があった。さらには、複数の飾り結びを作成する場合に、それらのサイズを同一に揃えることも難しいものとなっていた。
【０００５】
一方、台上に複数のピンを立てた補助具を利用する手段においては、そのような補助具を利用しない場合と比較すると、飾り結びの作成作業が幾らかは容易化される。ところが、このような手段においても、紐をどのように通せばよいのか判り難い場合があり、飾り結びの作成は容易ではなかった。また、複数のピンに紐を掛けていくだけであるために、このようなものを用いて作成することが可能な飾り結びの種類はごく一部のものに限定されており、たとえば既述した井桁結びのような多くの飾り結びについては、上記補助具を用いた手段では作成することが困難であった。
【０００６】
本願発明は、このような事情のもとで考え出されたものであって、形状やサイズが整った飾り結びを簡易に作成することが可能な飾り結び作成用具を提供することをその課題としている。
【０００７】
【発明の開示】
上記の課題を解決するため、本願発明では、次の技術的手段を講じている。
【０００８】
本願発明によって提供される飾り結び作成用具は、略カード状の作成用具本体を備えており、かつこの作成用具本体の外周縁には、一定の順序で紐を掛けていくことにより所定の飾り結びを作成可能とする凹状または凸状の複数の紐掛け部が設けられていることを特徴としている。
【０００９】
このような構成によれば、作成用具本体の外周縁の複数の紐掛け部に紐を一定の手順で掛けていくことにより所定の飾り結びを作成することができるために、紐を操作する手順が判り易く、このような用具を用いることなく飾り結びを作成していた従来の場合と比較すると、飾り結びの作成が格段に容易化され、また作成に要する時間も短縮される。
【００１０】
また、作成される飾り結びは、飾り結び作成用具の形状に倣うこととなるために、飾り結びの形状を綺麗に仕上げることができるとともに、複数の飾り結びを作成する場合には、それらのサイズを同一に揃えることも簡単となる。
【００１１】
さらに、作成用具本体は略カード状であるために、その取り扱いが容易であるばかりか、その外周縁の紐掛け部に掛けた紐は作成用具本体の表面部や裏面部に交互に掛け廻すといったことができ、紐を複雑に結ぶことができる。したがって、従来の台の上面部にピンを立てたものを利用する手段では作成することが困難とされていた飾り結びも作成可能となる。
【００１２】
本願発明の好ましい実施の形態においては、上記作成用具本体の表面部および裏面部の少なくとも一方には、上記複数の紐掛け部に紐を掛けていく順序を示す表示が付されている。このような構成によれば、ユーザが上記表示を見ることにより、飾り結びの作成手順をより容易に理解することができることとなる。
【００１３】
本願発明の好ましい実施の形態においては、上記表示は、上記複数の紐掛け部のそれぞれに紐をどのように掛けるかを区別する複数種類の態様をもつものとされている。このような構成によれば、上記各紐掛け部に紐をどのように掛ければよいのかをユーザが簡単に理解することが可能となり、飾り結びの作成の一層の容易化が図られる。
【００１４】
本願発明の好ましい実施の形態においては、上記作成用具本体は、その厚み方向への曲げ変形とその復元とが可能に弾性を有している。このような構成によれば、上記作成用具本体に紐を掛けて飾り結びを作成した後に、上記作成用具本体を曲げることによって、上記飾り結びを上記作成用具本体から簡単に取り外すことが可能となり、一層便利となる。上記作成用具本体は、上記曲げ変形の後に元の形状に弾性復帰させることが可能であるから、上記作成用具本体を適切に繰り返し使用することができる。
【００１５】
本願発明の好ましい実施の形態においては、上記作成用具本体には、この作成用具本体の厚み方向に貫通する少なくとも１つの貫通孔が設けられている。このような構成によれば、上記貫通孔に紐を通すことにより、飾り結びの作成の容易化を図るといった便宜を図ることが可能となる。
【００１６】
本願発明の好ましい実施の形態においては、上記作成用具本体の表面部および裏面部の少なくとも一方には、紐を掛けるための凸部が形成されている。このような構成によれば、上記作成用具本体に紐を掛ける場合のバリエーションを多くすることができ、上記作成用具本体の外周縁の複数の紐掛け部に紐を掛けるだけでは作成することが困難な飾り結びを作成し得るものとすることができる。
【００１７】
本願発明の好ましい実施の形態においては、上記作成用具本体の表面部および裏面部の少なくとも一方には、１以上の凹部が形成されており、かつこの凹部上に紐の一部が配されたときにはこの紐の一部と上記作成用具本体との間にこの紐の他の部分をくぐらせるための隙間が形成される構成とされている。また、本願発明の好ましい実施の形態においては、上記作成用具本体の表面部および裏面部の少なくとも一方には、複数の凸部が形成されており、かつこれら複数の凸部間に紐の一部が掛け渡されたときにはこの紐の一部分と上記作成用具本体との間にこの紐の他の部分をくぐらせるための隙間が形成される構成とされている。このような構成によれば、上記隙間に上記紐の一部分をくぐらせることによって、上記紐の一部分どうしを簡単に交差させることができ、飾り結びの作成がより簡単となる。
【００１８】
本願発明のその他の特徴および利点については、以下に行う発明の実施の形態の説明から、より明らかになるであろう。
【００１９】
【発明の実施の形態】
以下、本願発明の好ましい実施の形態について、図面を参照しつつ具体的に説明する。
【００２０】
図１および図２は、本願発明に係る飾り結び作成用具の第１の実施形態を示している。本実施形態の飾り結び作成用具Ａａは、たとえば２〜３ｍｍ程度の厚みを有する略カード状（略プレート状）の作成用具本体１Ａを具備して構成されている。その材質は、たとえばＥＶＡ樹脂やポリウレタン、その他エラストマ類であり、この作成用具本体１Ａはその厚み方向に適当な力を加えることにより弾性変形（曲げ変形）可能である。
【００２１】
作成用具本体１Ａの外周縁には、凹状をなす複数の紐掛け部２０ａ〜２０ｈが形成されている。これら複数の紐掛け部２０ａ〜２０ｈは、後述する一定の手順で紐Ｓを掛けていくと、井桁結びを作成することが可能な配置となっている。作成用具本体１Ａの表面部１０ａには、この作成用具本体１Ａの中心寄りに位置する凸部３０ａ，３０ｂ、紐掛け部２０ｃ，２０ｅのそれぞれの近傍に位置する凸部３０ｃ，３０ｄ、凸部３０ａ，３０ｂどうしの間に位置する凹部４０ａ、および凸部３０ｂ，３０ｄどうしの間に位置する凹部４０ｂが設けられている。これらの凸部３０ａ〜３０ｄや凹部４０ａ，４０ｂは、後述するように、表面部１０ａ上に紐Ｓを配したときにこの紐Ｓと表面部１０ａとの間に隙間を形成するのに役立つ。凸部３０ａ，３０ｂには、作成用具本体１Ａの厚み方向に貫通する貫通孔５０ａ，５０ｂが設けられている。図２（ｂ）に示すように、作成用具本体１Ａの裏面部１０ｂにも、凹部４０ｃ，４０ｄが設けられている。
【００２２】
作成用具本体１Ａの表面部１０ａおよび裏面部１０ｂには、その該当部分に紐Ｓが導かれる順序を示す「１」〜「１４」までの複数の数字Ｎが表示されている。また、複数の凹部４０ａ〜４０ｄの面には、紐を進行させる方向を示す複数の矢印ＡＲが表示されている。これらの表示は、たとえば印刷によりなされているが、むろんこれに限定されない。上記表示は、数字や記号が印刷されたシールを貼付したり、あるいは作成用具本体１Ａの樹脂成形時に凹凸を付けることにより数字や記号を表わすようにしてもかまわない。
【００２３】
複数の数字Ｎは枠によって囲まれており、その表示形態が紐をどのように取り扱うべきかをより詳細に示すようになっている。具体的には、本実施形態においては、数字Ｎの表示形態としては、数字Ｎを矩形状の枠で囲み、かつその数字を白抜きまたは非白抜き状としたもの、および数字Ｎを丸枠で囲んだものがある。数字Ｎを矩形状の枠で囲んだもののうち、非白抜き状のものは、紐を作成用具本体１Ａの反対面に移動させることを示しており、白抜き状のものは、紐を孔に通すことを示している。数字を丸枠で囲んだものは、紐の一部を既にこの飾り結び作成用具Ａａに掛けられている紐の他の部分の下にくぐらせることを示している。
【００２４】
次に、上記構成の飾り結び作成用具Ａａの使用方法ならびに作用について説明する。
【００２５】
まず、図３（ａ）に示すように、数字「１」が付されている貫通孔５０ａに紐Ｓを差し込み、この紐Ｓを飾り結び作成用具Ａａの裏面側から表面側に通す。その後は、同図（ｂ）に示すように、数字「２」が付されている紐掛け部２０ｅに紐Ｓを掛けてから、この紐Ｓを飾り結び作成用具Ａａの裏面側に配して数字「３」が付されている紐掛け部２０ｈに掛け、さらには再度飾り結び作成用具Ａａの表面側に配して数字「４」が付されている紐掛け部２０ｃに掛ける。このように、数字Ｎの順序にしたがって紐Ｓを掛けていく。同図（ｃ）に示すように、紐Ｓを数字「５」が付された紐掛け部２０ｆに掛けた後には、数字「６」および矢印ＡＲの向きにしたがい、この紐Ｓの一部分Ｓａを他の部分Ｓｂの下方（作成用具本体１Ａ寄りの部分）にくぐらせる。この紐Ｓの他の部分Ｓｂは、凸部３０ａ，３０ｄ間に掛け渡されているとともに、この部分Ｓｂの下方には凹部４０ａが形成されているために、紐Ｓの他の部分Ｓｂと作成用具本体１Ａとの間には紐Ｓを通すのに十分な隙間が形成されている。このため、上記紐Ｓの一部分Ｓａを他の部分Ｓｂの下方にくぐらせる作業は簡単に行なうことができる。
【００２６】
図３（ｄ）に示すように、その後も飾り結び作成用具Ａａの数字Ｎの順番どおりに紐Ｓを複数の紐掛け部２０ａ〜２０ｈの残りの部分に掛け、最後に数字「１４」の貫通孔５０ｂに通す。これにより、紐Ｓの掛け作業を終える。これらの紐Ｓの掛け作業時においても、数字「８」，「１０」，「１２」が付された凹部４０ｃ，４０ｂ，４０ｄのそれぞれの部分においては、先に掛けた紐Ｓの一部分の下に紐Ｓの他の部分をくぐらせることとなるが、これらの凹部４０ｃ，４０ｂ，４０ｄの存在により、紐Ｓの一部分の下方には隙間を形成しておくことができるために、やはり紐をくぐらせる作業を簡単に行なうことができる。
【００２７】
その後は、紐Ｓのうち、数字「７」および「９」が付された紐掛け部２０ｂ，２０ｇに掛かっている部分を飾り結び作成用具Ａａの裏面側において把持し、図３（ｅ）に示すように、これらの部分を同図の左上に引いて飾り結び作成用具Ａａから外す。同様にして、数字「４」および「５」が付された紐掛け部２０ｃ，２０ｆの部分から紐Ｓを右下に外す。さらに、同図（ｆ）に示すように、上記と同様にして紐Ｓの他の部分についても紐掛け部２０ａ〜２０ｈの他の部分から外す。これにより、紐Ｓによる４つのループＬＰ１〜ＬＰ４が形成される。作成用具本体１Ａは、その全体を撓ませたり、あるいは紐掛け部２０ａ〜２０ｈのそれぞれの近傍を部分的に曲げ変形させるといったことができるものであるから、このような変形を行なわせることによって上記したような紐Ｓを外す作業が容易に行なえることとなる。
【００２８】
井桁結びを完成させるには、その後図４（ｇ）に示すように、紐Ｓの４つのループＬＰ１〜ＬＰ４のうち、２つのループＬＰ２，ＬＰ３を作成用具本体１Ａの外側方向に引き、ループＬＰ１，ＬＰ４を締めてその結びの形状を軽く整える。次いで、同図（ｈ）に示すように、作成用具本体１Ａの裏面側に配置されている紐Ｓの両端を引き、残りのループＬＰ２，ＬＰ３を締める。作成用具本体１Ａの表面側の結び目を締める。これにより、井桁結びが得られる。
【００２９】
このように、本実施形態の飾り結び作成用具Ａａを用いれば、飾り結び作成用具Ａａに表示された数字Ｎや矢印ＡＲにしたがって紐Ｓを飾り結び作成用具Ａａの所定部分に掛けていく作業を行なうことにより、紐Ｓを所定の状態に結ぶことができ、その後は結ばれた紐Ｓを飾り結び作成用具Ａａから外せばよい。したがって、井桁結びの結び方を知らないユーザ、あるいはそのようなことに不慣れなユーザであっても、井桁結びを容易に作成することが可能となる。また、その作成に要する時間も短くすることができる。さらに、最終的に出来上がる井桁結びは、基本的には飾り結び作成用具Ａａの外形に倣わせて作成するため、体裁の良い形に仕上げることができるとともに、複数の井桁結びを作成する場合にそのサイズを同一に揃えることもできる。
【００３０】
図５および図６は、本願発明に係る飾り結び作成用具の第２の実施形態を示している。
【００３１】
本実施形態の飾り結び作成用具Ａｂは、あわじ玉を作成するためのものであり、略カード状の作成用具本体１Ｂを具備して構成されている。この作成用具本体１Ｂの厚みや材質は、上記第１の実施形態の飾り結び作成用具Ａａと同様であり、厚み方向に弾性変形（曲げ変形）可能である。この点については、後述する第３および第４の実施形態の作成用具本体１Ｃ，１Ｄについても同様である。
【００３２】
作成用具本体１Ｂの外周縁には、凹状をなす複数の紐掛け部２１ａ〜２１ｈが形成されている。また、それら複数の紐掛け部２１ａ〜２１ｈのそれぞれに接近して対をなすように形成された紐掛け部２１a'〜２１h'も形成されている。これら複数の紐掛け部２１ａ〜２１ｈ，２１a'〜２１h'は、後述する一定の手順で紐Ｓを掛けていくことによりあわじ玉を作成可能な配置となっている。作成用具本体１Ｂには、貫通孔５１が設けられているとともに、その表面部および裏面部には、計３つの凹部４１ａ〜４１ｃも設けられている。これら貫通孔５１、凹部４１ａ〜４１ｃ、および複数の紐掛け部２１ａ〜２１ｈの近辺には、それらの部分に紐Ｓを掛けたり、通したりする順序を示す数字Ｎや矢印ＡＲが付されている。数字Ｎの表示態様としては、上記第１の実施形態と同様に、数字Ｎを矩形状の枠で囲み、かつその数字を白抜きまたは非白抜き状としたもの、および数字Ｎを丸枠で囲んだものがある。それらの表示態様が意味するところは上記第１の実施形態の場合と同じである。
【００３３】
この飾り結び作成用具Ａｂを使用する場合には、まず図７（ａ）に示すように、数字「１」が付された貫通孔５１に紐Ｓを通してから、同図（ｂ）〜（ｄ）に示すように、数字Ｎの順序どおりに、複数の紐掛け部２１ａ〜２１ｈの全てに紐Ｓを掛ける。これにより、１周目の紐掛け作業が終了する。次いで、図７（ｅ）〜図８（ｇ）に示すように、上記数字Ｎに示す順序で、複数の紐掛け部２１a'〜２１h'の全てに紐Ｓを掛ける。これにより、２周目の紐掛け作業を終える。１周目と２周目とでは、紐Ｓを掛ける位置を相違させているために、紐Ｓを綺麗に整列させることができる。
【００３４】
その後は、図８（ｈ）に示すように、紐Ｓを飾り結び作成用具Ａｂから外す。その際には、作成用具本体１Ｂの各部を曲げることによって、紐Ｓを簡単に外すことが可能である。作成用具本体１Ｂから外した紐Ｓは、その後同図（ｉ）に示すように、紐Ｓで形成された複数のループの中心に適当な心材８０を通し、紐Ｓの両端部を引っ張って複数のループ全体を引き締めていく。最終的には、同図（ｊ）に示すように、心材８０を引き抜いてから、紐Ｓを固く結ぶ。このような一連の手順により、あわじ玉が作成される。
【００３５】
このように、本実施形態の飾り結び作成用具Ａｂによれば、飾り結び作成用具Ａｂに表示された数字Ｎや矢印ＡＲにしたがって紐Ｓを飾り結び作成用具Ａｂの所定部分に掛けていく作業を行なうことにより、あわじ玉を作成することができる。したがって、やはりあわじ玉の結び方を知らないユーザであっても、その作成を容易に行なうことができる。また、あわじ玉の結びの体裁を綺麗に整えたり、サイズを揃えるといったことも簡単に行なうことができる。凹部４１ａ〜４１ｃが設けられている部分において、紐Ｓの一部分の下方に紐Ｓの他の部分を簡単にくぐらせることができる点については、上記第１の実施形態の凹部４０ａ〜４０ｄが設けられている構成と同様であり、作業性を良くするのに便利である。
【００３６】
図９および図１０は、本願発明に係る飾り結び作成用具の第３の実施形態を示している。
【００３７】
本実施形態の飾り結び作成用具Ａｃは、菊結びを作成するためのものであり、略カード状の作成用具本体１Ｃを具備して構成されている。この作成用具本体１Ｃは、その外周縁に形成された凹状をなす複数の紐掛け部２２ａ〜２２ｃと、その表面部に設けられた複数の凸部３２ａ〜３２ｉと、その裏面部に設けられた複数の凸部３２ｊ〜３２ｌと、正面視略十文字状に配された４つの三角形状の切り欠き孔が一連に繋がった貫通孔５２とを有している。複数の凸部３２ａ〜３２ｉは、断面略Ｕ字状を有し、その内部には作成用具本体１Ｃの表面部との間において紐Ｓを通すことが可能な穴部が形成されている。複数の凸部３２ｊ〜３２ｌは、後述するように作成用具本体１Ｃの表面側から裏面側に紐を掛け廻してきたときに紐の一部分を安定的に掛止させ易い形状に形成されている。
【００３８】
この作成用具本体１Ｃの表面部には、複数の紐掛け部２２ａ〜２２ｃおよび複数の凸部３２ａ〜３２ｉに紐Ｓを掛けたり、あるいは通したりする順序を示す数字Ｎが付されている。これら数字Ｎの表示態様としては、非白抜き表示と白抜き表示との２種類があり、これら２種類の表示態様は、白抜きの数字の部分に紐をガイドさせたときには、そのガイドされた紐の一部分をその後所定のタイミングでそれと同一数字の非白抜き表示部分に導くことを示すために設けられている。
【００３９】
この飾り結び作成用具Ａｃを使用する場合には、まず図１１（ａ）に示すように、数字「１」が非白抜きで表示された部分に紐Ｓを配置させるように突起３２ｈの穴に紐Ｓを通してから、この紐Ｓを貫通孔５２に通し、数字「２」が非白抜き表示された部分にガイドし、紐掛け部２２ｃに掛ける。次いで、同図（ｂ）に示すように、紐Ｓを作成用具本体１Ｃの裏面部の突起３２ｌに掛けた後に、同図（ｃ）に示すように、紐Ｓを再び貫通孔５２に通し、数字「３」が非白抜き表示された部分にガイドし、紐掛け部２２ａに掛ける。その後は、作成用具本体１Ｃの裏面部の凸部３２ｊに掛けてから作成用具本体１Ｃの表面部に紐Ｓを再度導き、これと同様な手順でその後は紐掛け部２２ｂおよび凸部３２ｋに掛ける。凸部３２ｋに掛けた紐Ｓは、作成用具本体１Ｃの表面部に導き、貫通穴５２に通してから、元の凸部３２ｈの穴内に通す。このような作業により、同図（ｄ）に示すように、作成用具本体１Ｃの表面部においては、紐Ｓが２本ずつ束ねられて十字状に配置された形状にする。
【００４０】
その後は、同図（ｅ）に示すように、紐Ｓの一部を突起３２ｈから外し、この部分をその根元から折り返すようにして、数字「１」が非白抜き表示されている凸部３２ｂの穴に通す。同図（ｆ）〜図１２（ｉ）に示すように、作成用具本体１Ｃの裏面部の３つの突起３２ｊ〜３２ｌに掛けられていた紐Ｓの他の３箇所についても同様にして折り畳む。この場合、数字「２」〜「４」のそれぞれの白抜き表示の部分に掛けられていた部分を、数字「２」〜「４」のそれぞれの非白抜き表示部分に折り返すようにしてから、計４つの紐Ｓの部分どうしを結ぶ。このような紐Ｓの取り扱いを行なう場合、紐Ｓの各部を突起３２ａ〜３２ｉのそれぞれを利用して所定位置に保持させておくことができ、ユーザが手で押さえておく必要がないため、便利となる。
【００４１】
次いで、図１２（ｊ）に示すように、作成用具本体１Ｃを裏返して貫通孔５２から露出している部分を引き出しながら、同図（ｋ）に示すように、作成用具本体１Ｃの表面側の結び目を整える。これにより菊結びを作成することができる。菊結びとされた紐Ｓは、図１２（ｋ）に示す状態においてそのまま作成用具本体１Ｃの上方に引き抜くことが可能である。
【００４２】
このように、本実施形態の飾り結び作成用具Ａｃによれば、菊結びを簡単に作成することができる。もちろん、飾り結び作成用具Ａｃに倣わせて作成するために、その体裁を良好なものにし、かつそのサイズも一定に揃えられる。
【００４３】
図１３および図１４は、本願発明に係る飾り結び作成用具の第４の実施形態を示している。
【００４４】
本実施形態の飾り結び作成用具Ａｄは、みょうが結びを作成するためのものであり、略カード状の作成用具本体１Ｄを具備して構成されている。この作成用具本体１Ｄは、その一端部に、貫通孔５３ａを有する突起５５を有し、この作成用具本体１Ｄの外周縁のうち、その突起５５の近傍には、複数対の紐掛け部２３ａ〜２３ｃが形成されている。また、この作成用具本体１Ｄの表面部には、複数の段部をもつ段状凸部３３が設けられている。さらに、この作成用具本体１Ｄには、段状凸部３３の中央部において貫通した貫通孔５３ｂや、この貫通孔５３ｂから離れて設けられた切り欠き孔５４も設けられている。この作成用具本体１Ｄは、上記第１ないし第３の実施形態とは異なり、紐Ｓを掛けるための順序を示す数字などの表示は設けられていない。その理由は、後述するように、この飾り結び作成用具Ａｄを用いてみょうが結びを作成する場合には、前述の実施形態の場合と比較すると、その作成作業が簡単であり、数字などの表示がなくてもその作業内容が容易に理解できると考えられるからである。むろん、この飾り結び作成用具Ａｄにおいても、紐Ｓを掛ける順序を示す数字などの表示を付した構成にすることもできる。
【００４５】
この飾り結び作成用具Ａｄを使用する場合には、まず図１５（ａ）に示すように、切り欠き孔５４と貫通孔５３ａとに紐Ｓを通した後に、同図（ｂ）〜（ｅ）に示すように、紐掛け部２３ａ〜２３ｃと段状凸部３３とにそれらの間において紐Ｓを８の字状となるように繰り返して順次掛け廻す。次いで、同図（ｆ）および図１６（ｇ）に示すように、紐Ｓの一部を貫通孔５３ｂに通してから、８の字状に形成された部分を引き締め、その後図１６（ｈ），（ｉ）に示すように、紐Ｓの全体を飾り結び作成用具Ａｄから外す。
【００４６】
このように、本実施形態の飾り結び作成用具Ａｄによれば、みょうが結びを簡単に作成することができる。みょうが結びは、飾り結び作成用具Ａｄに倣って作成されるために、その体裁を良好なものに仕上げることができ、かつそのサイズも一定に揃えることができる。
【００４７】
本願発明は、上述の実施形態の内容に限定されない。本願発明に係る飾り結び作成用具の各部の具体的な構成は、種々に設計変更自在である。
【００４８】
上述の実施形態においては、中国服のボタンに利用される井桁結び、あわじ玉、菊結び、およびみょうが結びを作成するための飾り結び作成用具を具体例として説明したが、本願発明はこれに限定されない。上記とは異なる種類の飾り結びを作成するための作成用具として構成することもできる。紐掛け部の具体的な配置や数などは、その作成対象となる飾り結びの種類に応じて適宜変更すればよい。紐掛け部は、凹状に限らず、凸状に形成することもできる。
【００４９】
本願発明に係る飾り結び作成用具は、その材質なども特定されない。作成用具本体は、上述の実施形態のように、厚み方向に弾性変形可能な樹脂製とすれば紐を外すときに便利であるが、樹脂以外のたとえば厚紙製、木製、金属製とすることも可能である。作成用具本体は、薄肉のカード状に形成し、その保管や携帯性に優れたものにすることが好ましいが、これとは異なり、比較的厚手のカード状に形成されていてもかまわない。
【図面の簡単な説明】
【図１】本願発明に係る飾り結び作成用具の第１の実施形態を示す斜視図である。
【図２】（ａ）は、第１の実施形態の飾り結び作成用具の正面図であり、（ｂ）は、その背面図である。
【図３】（ａ）〜（ｆ）は、第１の実施形態の飾り結び作成用具を利用した飾り結び作成手順を示す説明図である。
【図４】（ｇ），（ｈ）は、第１の実施形態の飾り結び作成用具を利用した飾り結び作成手順を示す説明図である。
【図５】本願発明に係る飾り結び作成用具の第２の実施形態を示す斜視図である。
【図６】（ａ）は、第２の実施形態の飾り結び作成用具の正面図であり、（ｂ）は、その背面図である。
【図７】（ａ）〜（ｆ）は、第２の実施形態の飾り結び作成用具を利用した飾り結び作成手順を示す説明図である。
【図８】（ｇ）〜（ｊ）は、第２の実施形態の飾り結び作成用具を利用した飾り結び作成手順を示す説明図である。
【図９】本願発明に係る飾り結び作成用具の第３の実施形態を示す斜視図である。
【図１０】（ａ）は、第３の実施形態の飾り結び作成用具の正面図であり、（ｂ）は、その背面図である。
【図１１】（ａ）〜（ｆ）は、第３の実施形態の飾り結び作成用具を利用した飾り結び作成手順を示す説明図である。
【図１２】（ｇ）〜（ｋ）は、第３の実施形態の飾り結び作成用具を利用した飾り結び作成手順を示す説明図である。
【図１３】本願発明に係る飾り結び作成用具の第４の実施形態を示す斜視図である
【図１４】（ａ）は、第４の実施形態の飾り結び作成用具の正面図であり、（ｂ）は、その背面図である。
【図１５】（ａ）〜（ｆ）は、第４の実施形態の飾り結び作成用具を利用した飾り結び作成手順を示す説明図である。
【図１６】（ｇ）〜（ｉ）は、第４の実施形態の飾り結び作成用具を利用した飾り結び作成手順を示す説明図である。
【図１７】（ａ）〜（ｆ）は、従来技術における飾り結びの作成手順の一例の一部を示す説明図である。
【図１８】（ｇ）〜（ｉ）は、従来技術における飾り結びの作成手順の一例の一部を示す説明図である。
【符号の説明】
Ａａ〜Ａｄ  飾り結び作成用具
Ｓ  紐
１Ａ〜１Ｄ  作成用具本体
２０ａ〜２０ｈ  紐掛け部
２１ａ〜２１ｈ，２１a'〜２１h'  紐掛け部
２２ａ〜２２ｃ  紐掛け部
２３ａ〜２３ｃ  紐掛け部
３０ａ〜３０ｄ  凸部
４０ａ〜４０ｄ  凹部
５０ａ，５０ｂ  貫通孔
【図１】
0003715941.tif 000002
【図２】
0003715941.tif 000003
【図３】
0003715941.tif 000004
【図４】
0003715941.tif 000005
【図５】
0003715941.tif 000006
【図６】
0003715941.tif 000007
【図７】
0003715941.tif 000008
【図８】
0003715941.tif 000009
【図９】
0003715941.tif 000010
【図１０】
0003715941.tif 000011
【図１１】
0003715941.tif 000012
【図１２】
0003715941.tif 000013
【図１３】
0003715941.tif 000014
【図１４】
0003715941.tif 000015
【図１５】
0003715941.tif 000016
【図１６】
0003715941.tif 000017
【図１７】
0003715941.tif 000018
【図１８】
0003715941.tif 000019